(57)【要約】【課題】カーテンウォール・パネルやその目地部における材料の伸びや地震時の変形に充分に追従できる、屋外カーテンウォール、特にシーリングされた目地部における雨漏り補修材を提供する。【解決手段】カーテンウォール・パネルのシーリングされた目地部を含む領域の外表面に貼着される、軟質シリコーンゴム成形品からなる雨漏り補修材１であり、幅方向の中央部に波形の伸縮吸収部２が形成され、該伸縮吸収部２の両側には平板状の貼着面部３,３が形成されている。伸縮吸収部２は、横断面が山形または波形で構成される。【選択図】図１
0003142163.tif 000002
【実用新案登録請求の範囲】
【請求項１】
カーテンウォール・パネルのシーリングされた目地部を含む領域の外表面に貼着される屋外カーテンウォールの雨漏り補修材であって、
貼着面部が、伸縮吸収部を介して幅方向の両側に一体に形成されていることを特徴とする雨漏り補修材。
【請求項２】
シリコーンゴム成形品である請求項１に記載の雨漏り補修材。
【請求項３】
前記伸縮吸収部は、横断面が山形または波形である請求項1または２に記載の雨漏り補修材。
【考案の詳細な説明】
【技術分野】
【０００１】
この考案は、屋外カーテンウォールの、特にシーリングされた目地部における雨漏り補修材に関する。
【背景技術】
【０００２】
カーテンウォールは、建築構造上取り外し可能な壁であり、建物の自重および建物の荷重はすべて柱、梁、床、屋根等で支え、建物の荷重を直接負担しない壁をいう。すなわち、カーテンウォールは、高層ビルなどの建築物の荷重を支える外壁、柱や梁などの構造物に貼り付けられ、外壁を構成する。このようなカーテンウォールを採用することにより、外壁重量の軽量化、建物のしなりによるゆがみの影響を極力小さくすることが可能になる。
【０００３】
カーテンウォールには、アルミカーテンウォール、ハニカムアルミパネル、ガラスカーテンウォール、チタンパネル、セラミックパネル、プレキャストコンクリート（PCa）カーテンウォールなどが知られている。
【０００４】
カーテンウォールのパネルを組み立てて外壁を形成する場合、それらの目地はシーリング材料で塞がれる。シーリングは、建物の気密性を確保し、目地からの雨水の浸入を防止するうえで重要である。
【０００５】
カーテンウォールが確立された初期の建築物では、目地部のシーリングには、油性コーキングが使用されていたが、油性コーキングは非弾性体であることに加えて、カーテンウォールの外装材の熱的性質(伸び等)、表面特質、紫外線による劣化、材料の経年変化などにより目地部で雨漏りするおそれがあった。
【０００６】
一方、近時は、油性コーキングに代えて、弾性のあるポリサルファイド系のシーラントを目地材に使用することが多くなっているが、それでも目地部での雨漏り対策としては充分ではなかった。
【０００７】
ガラスカーテンウォール、金属パネルの目地部（ジョイント部）からの雨漏り対策として、従来からブリッジ方式によるシール補修、シール再施工の上にゴム板を貼り付けるなどの対策がとられている。
しかし、ブリッジ方式によるシール補修は、部分的に突起があるために、違和感があり、補修後のカーテンウォールの美観を損なうという問題がある。また、目地部の外表面にゴム板を貼り付ける方法は、カーテンウォールや目地部における材料の熱膨張による伸びや、地震時の変形に追従できないため、剥がれやクラックなどが発生し、強固な補修方法とはいえない。また、ゴム板は、耐候性の関係から黒色ゴムが使用されるため、建物の色調と異なると美観上も好ましくない場合がある。
【特許文献１】特開平６‐１５８０２６号公報
【考案の開示】
【考案が解決しようとする課題】
【０００８】
本考案の課題は、カーテンウォール・パネルやその目地部における材料の伸びや地震時の変形に充分に追従できる、屋外カーテンウォール、特にシーリングされた目地部における雨漏り補修材を提供することである。
【課題を解決するための手段】
【０００９】
本考案に係る雨漏り補修材は、以下の構成を有する。
（1）カーテンウォール・パネルのシーリングされた目地部を含む領域の外表面に貼着される屋外カーテンウォールの雨漏り補修材であって、貼着面部が、伸縮吸収部を介して幅方向の両側に一体に形成されていることを特徴とする雨漏り補修材。
（2）シリコーンゴム成形品である（1）に記載の雨漏り補修材。
（3）前記伸縮吸収部は、横断面が山形または波形である（1）または（2）に記載の雨漏り補修材。
【考案の効果】
【００１０】
本考案の雨漏り補修材によれば、貼着面部が幅方向の両側に伸縮吸収部、具体的には上記（３）に記載の横断面が山形または波形の伸縮吸収部、を介して一体に形成されているので、カーテンウォールやシール部における材料の伸びや地震時の変形にも充分に追従でき、剥離やクラックの発生を抑制できるという効果がある。
【００１１】
また、上記（2）のように、本考案の雨漏り補修材としてシリコーンゴム成形品を使用する場合は、カーテンウォールの外装仕上げ材と同色で製作することができ、また耐久性にも優れている。とくに本考案の雨漏り補修材を接着するために使用するシーラントと同じ物性であるために、経年変化による剥がれが発生しにくいという効果がある。
【考案を実施するための最良の形態】
【００１２】
（第１の実施形態）
本考案の第１の実施形態に係る雨漏り補修材を図１および図２に基づいて説明する。図１に示すように、この雨漏り補修材１は、長い帯状（テープ状）の軟質シリコーンゴム成形品であり、幅方向の中央部に波形の伸縮吸収部２が形成されている。該伸縮吸収部２の両側には平板状の貼着面部３,３が形成されている。上記軟質シリコーンゴム成形品は所望の色に簡単に着色できるので、補修箇所の色に合わせて各色の補修材を準備することが可能であり、従って美観を損なうことが少ない。
【００１３】
雨漏り補修材１の厚さは、伸縮吸収部２における伸縮に支障をきたさない範囲であるのが好ましく、通常０．５〜3ｍｍ程度、好ましくは約１．５ｍｍであるのがよい。また、伸縮吸収部２の波形は特に波の数や高さが限定されるものではなく、任意に設定可能であるが、例えば波数が１〜５、好ましくは３である。伸縮吸収部２の波形は、貼着面部３,３の貼着面３1から下にはみ出さないようにする。
【００１４】
このように構成された雨漏り補修材１を用いた補修方法を図２に基づいて以下説明する。図２は雨漏り補修されたカーテンウォールを示している。図２において、４はメタル（例えばアルミニウム）系のパネルであり、その目地部５にはシーリング材６（例えばシーラント）が充填されている。
【００１５】
シーリング材６に例えばクラック７が入って雨水が浸入する場合に、雨漏り補修材１を用いて補修を行うには、まず、目地部５の周縁のパネル４,４をバフ仕上げし、目地部５とその周縁にプライマーを塗布した後、シーリング材（シリコーンシーラント）を目地部５とその周縁に塗布する。しかる後、補修材１を貼り合わせ、ローラなどで加圧して接着する。この場合、貼着面部３は、少なくとも目地部５両側のパネル４の縁部に接着されればよいが、目地部５とその両側のパネル４の縁部に接着されていてもよい。
【００１６】
このようにして補修されたカーテンウォールは、たとえパネル４，４に熱伸びや地震時の変形が生じても、伸縮吸収部２で変形を容易に吸収することができるので、雨水の浸入を長期間にわたって防止することができる。
【００１７】
なお、補修材１の末端の伸縮吸収部２では、波形のため隙間ができるが、当該隙間はシーラントを充填するなどして塞ぐようにすればよい。
（第２の実施形態）
【００１８】
本考案の第２の実施形態に係る雨漏り補修材を図３および図４に基づいて説明する。図３はこの実施形態に係る補修後の施工状態を示す一部破断斜視図であり、図４はこの実施形態に係る雨漏り補修材を示す一部破断斜視図である。
【００１９】
ガラスカーテンウォールのシーリング部（目地部）における雨漏り対策に適用されるものである。すなわち、図３に示すように、ガラス板８をシーリング部１１を介して縦枠材９と横枠材１０とで水密的に保持したガラスカーテンウォールにおいて、縦枠材９と横枠材１０との接合部に雨漏り補修材１２が接着されている。
【００２０】
この雨漏り補修材１２は、縦枠材９の外面から１１にわたって被覆するＬ形貼着面部１２Ａとコ字形貼着面部１２Ｂとこれらの境界に設けられた伸縮吸収部１２Ｃが一体に形成された軟質シリコーンゴム成形品である。
【００２１】
Ｌ形貼着面部１２Ａとコ字形貼着面部１２Ｂはそれらの内面が貼着面13,13となる。伸縮吸収部１２Ｃは、図４に示すように、横断面が山形で構成されており、貼着面１３から下にはみ出さないように外方に突出している。
【００２２】
補修は、前記と同様にしてシーラントを用いて簡単に行うことができる。そして、図３に示すように補修されたガラスカーテンウォールにおいては、縦枠材９と横枠材１０との間での熱伸びや地震時の変形が発生しても、伸縮吸収部１２Ｃによって当該変化に補修材12が充分に追従できるようになる。その他は、前記実施形態と同様である。
【００２３】
なお、本考案は以上の実施形態に限定されるものではなく、種々の改良や変形が可能である。特に本考案の雨漏り補修材は、貼着面部が伸縮吸収部を介して幅方向の両側に一体に形成されている限り、その形状や寸法等が制限されるものではなく、適用するカーテンウォールの目地部（シーリング部）の場所や形状、大きさに応じて適宜決定することができるものである。
【図面の簡単な説明】
【００２４】
【図１】本考案の第１の実施形態に係る雨漏り補修材を示す一部破断概略斜視図である。
【図２】図1の雨漏り補修材を用いたカーテンウォールの雨漏り補修状態を示す一部破断概略斜視図である。
【図３】本考案の第２の実施形態におけるガラスカーテンウォールの雨漏り補修状態を示す一部破断概略斜視図である。
【図４】本考案の第２の実施形態に係る雨漏り補修材を示す一部破断概略斜視図である。
【符号の説明】
【００２５】
１    雨漏り補修材
２    伸縮吸収部
３    貼着面部
４    パネル
５    目地部
６  シーリング材
７  クラック
８  ガラス板
９  縦枠材
１０  横枠材
１１  シーリング部
１２  雨漏り補修材
１２Ａ  Ｌ形貼着面部
１２Ｂ  コ字形貼着面部
１２Ｃ  伸縮吸収部  
【図１】
0003142163.tif 000003
【図２】
0003142163.tif 000004
【図３】
0003142163.tif 000005
【図４】
0003142163.tif 000006